(57)【要約】【課題】異機種ネットワークにおける小セル発見の方法を提供する。【解決手段】異機種ネットワークにおける小セル発見の方法が提案されて、効果的なセル検索と節電を達成する。一新規態様において、ＵＥが小セルの近接領域に進入する時だけ、ユーザー装置(ＵＥ)が小セルを測定する。たとえば、ＵＥは、小セルの近接を検出し、近接指示情報をネットワークに報告する。近接指示に基づいて、ネットワークは、小セルにとって適当な測定配置を提供する。第二新規態様において、ＵＥは、小セル発見のために誘導検索を実行する。第三新規態様において、小セルの近接中にあるとき、ＵＥは、小セルの検索速度を増加し、小セルの近接中にない時、小セルの検索速度を低下させる。検出は、ネットワークにより提供される位置情報、または、ＵＥにより自立的に保存される近接検出情報に基づく。【選択図】図１
2014523719.tif 000002
【特許請求の範囲】
【請求項１】
方法であって、
移動通信ネットワークにおいて、ユーザー装置(ＵＥ)が小セルの近接領域にあるか判断する工程と、
前記判断に基づいて、前記ＵＥのモビリティ測定を変化させる工程と、
を含むことを特徴とする方法。
【請求項２】
さらに、
近接指示情報を基地局に伝送し、前記近接指示情報が、少なくとも前記小セルのキャリア周波数を含む工程と、
前記小セルに対し、前記基地局から測定配置情報を受信する工程と、
前記小セルの前記キャリア周波数で、測定を実行する工程と、
を含むことを特徴とする請求項１に記載の方法。
【請求項３】
さらに、
基地局から、ひとつ以上の隣接小セルについてのセルＩＤ情報を受信し、前記ＵＥは、高速且つ低バッテリー消耗で、前記小セルを検出、識別することができる工程を含むことを特徴とする請求項１に記載の方法。
【請求項４】
さらに、
基地局から位置情報を受信して、前記ＵＥが、前記ＵＥが前記小セルの前記近接領域に入るかどうかを判断できる工程を含むことを特徴とする請求項１に記載の方法。
【請求項５】
さらに、
前記小セルに関する周波数情報、または、前記ＵＥに設定される測定対象と相関する参照情報を受信し、前記ＵＥが、前記小セルを検索することができる工程を含むことを特徴とする請求項４に記載の方法。 
【請求項６】
前記位置情報は、前記小セルの被覆範囲に関連する隣接セルの無線信号パラメータを含むことを特徴とする請求項４に記載の方法。
【請求項７】
前記位置情報は、緯度と経度に基づいて、地理的領域配置を含むことを特徴とする請求項４に記載の方法。
【請求項８】
前記判断は、前記ＵＥにより自立的に保存された近接検出情報に基づき、前記小セルは、クローズドサブスクライバグループ(ＣＳＧ)セルではないことを特徴とする請求項１に記載の方法。
【請求項９】
前記ＵＥは、前記ＵＥが、既に、前記ＵＥが前記情報を保存するシグナリング指示を受信したセルだけに、前記近接検出情報を保存することを特徴とする請求項８に記載の方法。
【請求項１０】
前記保存された近接検出情報は、前記小セルの位置および／または前記小セルの隣接セルの無線信号測定を含むことを特徴とする請求項８に記載の方法。 
【請求項１１】
さらに、
前記ＵＥが前記小セルの近接領域にある場合、小セルの検索速度を増加する工程と、
前記ＵＥが前記小セルの近接領域にない場合、小セルの検索速度を低下させる工程と、
を含むことを特徴とする請求項１に記載の方法。
【請求項１２】
ユーザー装置(ＵＥ)であって、
移動通信ネットワーク中、ユーザー装置 (ＵＥ)が小セルの近接領域にあるか判断するセル近接-検出モジュールと、
近接指示情報を基地局に伝送し、前記近接指示情報が、前記小セルの少なくとも物理セルＩＤとキャリア周波数を含むトランスミッタと、
前記小セルに対し、前記基地局から測定配置情報を受信するレシーバと、
前記小セルの前記キャリア周波数で測定を実行する測定モジュールと、
を含むことを特徴とするＵＥ。
【請求項１３】
前記レシーバは、前記基地局から、ひとつ以上の隣接小セルについてのセルＩＤ情報を受信し、前記ＵＥは、前記小セルを識別することができることを特徴とする請求項１２に記載のＵＥ。
【請求項１４】
前記レシーバは、前記基地局から少なくとも位置情報を受信し、前記ＵＥは、前記ＵＥが前記小セルの前記近接中に移動するかどうかを判断することができることを特徴とする請求項１２に記載のＵＥ。
【請求項１５】
前記レシーバは、少なくとも前記小セルについての周波数情報、または、前記ＵＥに設定される測定対象に関連する参照情報を受信し、前記ＵＥが、前記小セルを検索することができることを特徴とする請求項１４に記載のＵＥ。
【請求項１６】
前記位置情報は、少なくとも前記小セルの位置と前記小セルの隣接セルの被覆範囲情報を含むことを特徴とする請求項１４に記載のＵＥ。
【請求項１７】
前記判断は、前記ＵＥにより自立的に保存された近接検出情報に基づき、前記小セルは、クローズドサブスクライバグループ (ＣＳＧ) セルではないことを特徴とする請求項１２に記載のＵＥ。
【請求項１８】
前記ＵＥは、前記ＵＥが前記情報を保存するシグナリング指示を、前記ＵＥが既に受信したセルだけに、近接検出情報を保存することを特徴とする請求項１７に記載のＵＥ。 
【請求項１９】
前記保存された近接検出情報は、前記小セルの位置と前記小セルの隣接セルの被覆範囲情報を含むことを特徴とする請求項１７に記載のＵＥ。  
【請求項２０】
前記ＵＥが前記小セルの近接領域にある場合、前記ＵＥは小セルの検索速度を増加し、前記ＵＥが前記小セルの近接領域にない場合、前記ＵＥは、小セルの検索速度を低下させることを特徴とする請求項１２に記載のＵＥ。
【請求項２１】
方法であって、
移動通信ネットワーク中、ユーザー装置 (ＵＥ)により、基地局から測定配置を受信し、前記測定配置が、少なくともセルＩＤと位置情報を有する優先セルに設定される測定対象を含む工程と、
前記位置情報に基づいて、近接検出を応用し、前記ＵＥが前記優先セルの近接領域にあるか検出する工程と、
前記測定配置に基づいて、前記優先セルに測定を実行する工程と、
を含むことを特徴とする方法。
【請求項２２】
前記位置情報は、少なくとも、前記優先セルのＧＰＳ位置と前記優先セルの被覆範囲に関連する隣接セルの無線信号パラメータを含むことを特徴とする請求項２１に記載の方法。
【請求項２３】
サービングセルの無線信号強度/品質が、stop-measureスレショルドよりよい時、前記ＵＥは、前記優先セルの測定の実行を続行することを特徴とする請求項２１に記載の方法。
【請求項２４】
方法であって、
移動通信ネットワーク中、ユーザー装置 (ＵＥ)により、基地局から測定配置を受信する工程と、 
近接検出を応用して、前記ＵＥが優先セルの近接領域にあるか検出する工程と、
前記測定配置により配置される測定速度に基づいて、測定を実行し、前記ＵＥが前記優先セルの近接領域にある場合、前記ＵＥは、前記優先セルの前記測定速度を増加し、前記ＵＥが前記優先セルの近接領域にない場合、前記ＵＥは、前記優先セルの前記測定速度を低下させる工程と、
を含むことを特徴とする方法。
【請求項２５】
前記近接検出は、前記ＵＥにより自立的に保存された近接検出情報に基づき、前記保存された近接検出情報は、少なくとも、前記優先セルの位置、前記優先セルの隣接セルの被覆範囲情報、および、前記優先セルのＲＦフィンガープリント情報を含むことを特徴とする請求項２４に記載の方法。
【請求項２６】
前記近接検出は、前記基地局からの位置情報に基づき、前記位置情報は、少なくとも、前記優先セルのＧＰＳ位置と前記優先セルの被覆範囲に関連する隣接セルの無線信号パラメータを含むことを特徴とする請求項２４に記載の方法。
【発明の詳細な説明】
【技術分野】
【０００１】
この出願は、２０１１年８月１１日に出願された“Method for Small Cell Discovery in Heterogeneous Network”と題された米国特許仮出願番号６１/５２２５７８号から、合衆国法典第３５編第１１９条の下、優先権を主張するものであり、その内容は引用によって本願に援用される。
【０００２】
本発明は、異機種ネットワークに関するものであって、特に、異機種ネットワークにおける小セル発見に関するものである。
【背景技術】
【０００３】
Ｅ−ＵＴＲＡＮは、モバイルネットワークの３ＧＰＰのロングタームエボリューション(ＬＴＥ)アップグレードパスのインターフェースである。Ｅ−ＵＴＲＡＮモバイルネットワークにおいて、ネットワークはＵＥを制御し、ブロードキャストまたは専用制御を用いて、同一/異周波数間(intra/inter-frequency)、または、inter-ＲＡＴモビリティの測定を実行する。たとえば、RCC_IDLE 状態において、ＵＥは、Ｅ−ＵＴＲＡＮブロードキャストにより指定されるセル再選択に定義される測定パラメータに従う。一方、RCC_CONNECTED状態で、ＵＥは、Ｅ−ＵＴＲＡＮからの無線リソース制御 (RRC)メッセージにより、測定対象により指定される測定配置に従う。
【０００４】
現在、および、ターゲットセルが同一キャリア周波数で操作するとき、同一周波数間測定が発生する。このような状況下で、ＵＥは、測定ギャップなしで測定を実行できなければならない。これは、同じ周波数で、サービングセルとデータ通信を同時に実行する間、ＵＥレシーバは隣接セルの参照信号を測定することができるからである。一方、現在のセルと比較して、ターゲットセルが異なるキャリア周波数で操作する時、異周波数間測定が発生する。同様に、現在のセルと比較して、ターゲットセルが異なるＲＡＴで操作する時、inter-RAT (Radio Access Technology)測定が発生する。このような状況下で、ＵＥは、測定ギャップなしでは、測定を実行することができない。これは、ＵＥレシーバが、別の周波数に切り換えられて、測定を実行し、その後、現在のセルの周波数に戻して、データ通信を実行する必要があるからである。
【０００５】
現在のＬＴＥモバイルネットワークは、通常、マクロ中心プランニングプロセス(macro-centric planning process)を用いて、同種ネットワークとして発展および初期展開されている。同種セルラーシステムは、計画されたレイアウトとユーザー端子の収集におけるマクロ基地局のネットワークで、全マクロ基地局は、同様の伝送電力レベル、アンテナパターン、レシーバノイズフロアおよびパケットコアネットワークへの同様の帰路接続性を有する。ＬＴＥ-アドバンス (ＬＴＥ-Ａ)システムは、異機種ネットワークトポロジーで発展する一連の各種基地局を用いることにより、効率スペクトルを改善する。マクロ、ピコ、フェムトおよび中継基地局の混合を用いて、異機種ネットワークは、フレキシブルで低コストの展開を可能にし、均一なブロードバンドユーザーエクスペリエンスを提供する。異機種ネットワークにおいて、基地局間の効率的なリソース協調、効果的な干渉管理のためのよい基地局選定戦略と最先端技術は、従来の同種ネットワークと比較して、スループットとユーザーエクスペリエンスにおいて、相当な利益を提供することができる。
【０００６】
異機種ネットワークにおいて、小セル発見は、マクロセルから小セルへの効果的なオフロードを確保するのに重要である。小セルは、ピコセル、フェムトセル、または、ミクロセルも含む。関連する小セル被覆範囲のため、異周波数間測定時間は小セルにとって長すぎる。たとえば、測定ギャップパターンに基づいて、異周波数間セル識別時間は7.68sまでで、小セル発見にとっては受け入れがたい。さらに、ＵＥは、むらのある展開における小セルの検索の試みを維持する場合、電力を浪費する。注意すべきことは、測定ギャップは、複数のＲＦレシーバモジュールを配備しているＵＥに不要なことである。しかし、このようなマルチ-RF UEにとって、電力浪費はひとつの懸念である。よって、改善された小セル発見の戦略、特に、異周波数間モビリティの目的を識別および判断することが望まれる。ＵＥが、かなりの量の情報をＵＥがアクセスを許可する各個々のセルに保存することに頼るので、ＵＥが多数の小セルを調査するネットワークにとって、小さいと考えられているクローズドサブスクライバグループ (ＣＳＧ)セルの３ＧＰＰ規格におけるサポートは明らかな欠点がある。
【発明の概要】
【発明が解決しようとする課題】
【０００７】
本発明は、異機種ネットワークにおける小セル発見の方法を提供し、効果的なセル検索と節電を達成することを目的とする。
【課題を解決するための手段】
【０００８】
一新規態様において、ＵＥが小セルの近接領域に進入する時だけ、ユーザー装置 (ＵＥ)は、優先の小セルを測定する。たとえば、ＵＥは、小セルの近接を検出し、近接指示情報をネットワークに報告する。近接指示情報の可能なパラメータは、小セルの進入または離れる近接領域、セルＩＤ、および、小セルのキャリア周波数を含む。近接指示に基づいて、ネットワークは、ひとつ以上の小セルに適当な測定配置を提供する。適当な測定配置は、小セルの検索パフォーマンスに影響する配置アイテムを含み、ＵＥが十分に速く小セルを検索するのを確保する。たとえば、ＵＥが、小セルの近接領域にあるとき、小セルを検索する頻度を増やし、ＵＥが小セルの近接領域にないとき、小セルの検索頻度を減少させる。
【０００９】
第二新規態様において、ＵＥは、小セル発見のために誘導検索を実行する。ＵＥは、セルＩＤと位置情報を含む優先の小セル の測定配置を受信する。ＵＥは、ＵＥが、位置情報に基づいて、優先セルの近接領域に進入するかどうかによって、近接測定を適用する。ＵＥが優先セルの近接領域にある場合、ＵＥは、測定配置に基づいて、優先セルの測定を実行する。一例において、サービングセルのＲＳＲＰが、stop-measure (たとえば、s-measure)スレショルドより良い時でも、優先セルに測定の実行を継続する。
【００１０】
第三新規態様において、小セルの近接領域にあるとき、ＵＥは、小セルの検索速度を増加し、小セルの近接領域にないとき、小セルの検索速度を低下させる。検出は、ネットワークにより提供される位置情報、または、ＵＥにより自立的に保存される近接検出情報に基づく。位置情報および保存された近接検出情報は、位置(たとえば、緯度と経度)、隣接セルの範囲情報 (たとえば、無線パラメータ、たとえば、信号強度)および／またはセルラー“ＲＦフィンガープリント”を含む。
【００１１】
他の実施の形態および利点が以下の詳細な説明に述べられる。この概要は、本発明を定めるものではない。本発明は請求項によって定められる。
【図面の簡単な説明】
【００１２】
添付の図面は、本発明の実施の形態を説明しており、同様の番号は同様の構成要素を示している。
【図１】一新規態様による移動通信ネットワークにおける小セル発見の方法を示す図である。
【図２】一新規態様による小セル発見の第一具体例を示す図である。
【図３】一新規態様による小セル発見の第二具体例を示す図である。
【図４】一新規態様による小セル発見の第三具体例を示す図である。
【図５】一新規態様による小セル発見の第四具体例を示す図である。
【図６】一新規態様による小セル発見の第五具体例を示す図である。
【図７】一新規態様による小セル発見の一例のフローチャートである。
【図８】一新規態様による小セルの誘導検索の方法のフローチャートである。
【図９】一新規態様による小セルのＵＥ自立的検索と測定の一具体例のフローチャートである。
【発明を実施するための形態】
【００１３】
本発明の実施態様について詳細に述べる。その例は添付図面に示されている。
【００１４】
図１は、一新規態様による移動通信ネットワーク１００における小セル発見の方法を示す図である。移動通信ネットワーク１００は、複数のマクロ基地局ｅＮＢ１０１-１０３、複数のピコ基地局１０４-１０６、および、ユーザー装置ＵＥ１１０を含む異機種ネットワークである。マクロ基地局１０１-１０３は、それぞれ、第一キャリア周波数 f1で、マクロセル１１１−１１３に供する。ピコ基地局１０４-１０６は、それぞれ、第二キャリア周波数 f2 で、ピコセル１１４−１１６に供する。図１の例において、マクロセル１１１−１１３は、標準セルまたは大セルと称され、ピコセル１１４−１１６は、小セル、または、優先セルと称される。小セルは、一般に、マクロセルと比較して、かなり小さいセル被覆範囲を有する。小セルの例は、ピコセル、フェムトセル、または、ミクロセルを含む。
【００１５】
モビリティ管理にとって、ＵＥ１１０は、周期的に、受信した信号電力、および、サービングセルと隣接セルの品質を測定し、潜在的ハンドオーバのために、測定結果をサービングｅＮＢに報告する。たとえば、セルの基準信号受信パワー (ＲＳＲＰ)または基準信号受信品質 (ＲＳＲＱ)測定は、異なるセル間のランク付けを助け、モビリティ管理の入力とする。現在のサービングセルと比較して、ターゲットセルが異なるキャリア周波数で操作する時、異周波数間測定が発生する。図１の例において、ＵＥ１１０は、キャリア周波数 f1で、セル１１３中のサービングｅＮＢ１０３により供される。ＵＥ１１０は、測定ギャップなしでは、キャリア周波数 f2で測定を実行することができない。これは、ＵＥ１１０上のレシーバが、キャリア周波数 f2に切り換えられて、測定を実行し、その後、キャリア周波数 f1に戻して、データ通信を実行する必要があるからである。測定ギャップパターンに基づいて、異周波数間セル識別時間は 7.68sである。
【００１６】
しかし、異機種ネットワークにおいて、マクロセルのセルサイズと小セルのセルサイズは非常に異なる。異周波数間測定時間がマクロセルに受容可能である間、小セル、たとえば、ピコセルにとって長すぎる。たとえば、マクロセルのサイズは、通常、１から20 キロメートル、ピコセルのサイズは、通常、４から200メートルである。これにより、ＵＥ１１０がピコセル１１６のセル被覆範囲内に移動するとき、ＵＥ１１０は、既に配置された間隔時間内で、ピコセル１１６をターゲットセルとする時間が恐らく長すぎることを発見する。さらに、ＵＥ１１０がどのピコセルからも離れて位置する時、どうしても、小セルの検索を試みる場合、ＵＥ１１０は電力を浪費する。
【００１７】
一新規態様において、ＵＥ１１０は、ある条件下で(たとえば、位置情報に基づく)、小セルだけを検索する。一例において、ＵＥ１１０は、まず、サービングｅＮＢ１０３から物理セルＩＤ (ＰＣＩ)情報を得て、ＵＥ１１０が、マクロセルから小セルを識別できる(ステップ１)。位置Ｌ１で、ＵＥ１１０は、どの小セルの近接領域にもなく、小セルを検索しない (ステップ２)。ＵＥ１１０が、位置 L2で、ピコセル１１６の近接領域に移動する時、ＵＥ１１０は、ピコセル１１６の近接を検出して、ｅＮＢ１０３に報告する (ステップ３)。近接指示に基づいて、ｅＮＢ１０３は、ＵＥ１１０測定配置をピコセル１１６に伝送する(ステップ４)。その後、測定配置に基づいて、ＵＥ１１０は、ピコセル１１６を効果的に測定することができる (ステップ５)。
【００１８】
図１は、また、ＵＥ１１０のブロック図でもある。ＵＥ１１０は、プログラム指令とデータベースを含むメモリ１２１、プロセッサ１２２、トランスミッタとレシーバを有する無線周波数 (ＲＦ)モジュール、無線周波数信号を送受信するアンテナ１２４、無線信号測定を実行する測定モジュール１２５、および、小セルの近接を検出するセル近接-検出モジュール１２６を含む。各種モジュールは機能モジュールで、ソフトウェア、ファームウェア、ハードウェアまたはそれらの組み合わせにより実施される。各基地局は、類似の機能モジュールを含む。プロセッサ１２２ (たとえば、メモリ１２１中に含まれるプログラム指令により)により実行される機能モジュールは、互いに作用して、ＵＥ１１０が、小セルの近接を検出および報告できるようにし、小セルの測定配置を受信して、測定を実行し、小セルの測定結果をそのサービングｅＮＢに報告して、適当なハンドオーバ決定をする。
【００１９】
図２は、一新規態様による小セル発見の第一具体例を示す図である。ステップ２１１において、ＵＥ２０１は、ブロードキャストチャネル (BCH)中に搭載されるシステム情報ブロック(ＳＩＢ)により、ｅＮＢ２０２によりブロードキャストされる情報を受信する。ブロードキャストされる情報は、ネットワーク中、異なるセルの物理セルＩＤ (ＰＩＣ)情報を含む。たとえば、ＰＣＩ分割情報が用いられて、特定のＰＣＩ幅 (たとえば、ある特定ＰＣＩ値が特別にピコセルに割り当てられる)により、ピコセルを識別する。ステップ２１２において、ｅＮＢ２０２は、ＵＥ２０１に、ピコセルの近接の報告を要求する。たとえば、ｅＮＢ２０２は、ＲＲＣメッセージ (たとえば、近接要求)をＵＥ２０１に伝送する。ステップ２１３において、ピコセルの近接中に移動する時、ＵＥ２０１は、ピコセルの近接を検出する。ステップ２１４において、ＵＥ２０１は、近接指示情報により、ピコセルの近接を報告する。近接指示情報の可能なパラメータは、ピコセルが進入または離れる近接領域、セルＩＤ、および、ピコセルのキャリア周波数を含む。ステップ２１５において、報告された近接指示情報に基づいて、ｅＮＢ２０２は、ピコセルの測定位置をＵＥ２０１に伝送する。測定配置は、通常、測定されるピコセルのセルＩＤとキャリア周波数を含む。ステップ２２１において、ＵＥ２０１はピコセルに測定を実行する。最後に、ステップ２２２において、ＵＥ２０１は、測定結果 (たとえば、ピコセルのＲＳＲＰおよび／またはＲＳＲＱ)をｅＮＢ２０２に報告する。
【００２０】
第一具体例下で、ＵＥ２０１は、ピコセルが隣接する時だけ、ピコセルを測定する。ピコセルは、むらのある展開になると考えられるので、このような方法はよい節電効果がある。しかし、ネットワークからの何の支援もなしでも、ＵＥ２０１は、ピコセルの近接を検出することができなければならない。たとえば、ＵＥ２０１は、まず、ピコセルにアクセスし、関連する情報 (たとえば、RF フィンガープリント) を保存して、後の近接検出を可能にする。
【００２１】
図３は、一新規態様による小セル発見の第二具体例を示す図である。ステップ３１１において、ＵＥ３０１は、システム情報ブロック(SIB)により、ｅＮＢ３０２によりブロードキャストされる情報を受信する。ブロードキャストされる情報は、ネットワーク中、異なるセルの物理セルＩＤ (ＰＩＣ)情報を含む。たとえば、ＰＣＩ分割情報が用いられて、特定のＰＣＩ幅によりピコセルを識別する。このほか、ブロードキャストされる情報は、ピコセルの位置情報も含む。ステップ３１２において、ＰＣＩと位置情報に基づいて、ピコセルの近接中に移動する時、ＵＥ３０１はピコセルの近接を検出する。ステップ３１３において、ＵＥ３０１は、近接指示情報により、ピコセルの近接を報告する。近接指示情報の可能なパラメータは、ピコセルに進入または離れる近接領域、セルＩＤ、および、ピコセルのキャリア周波数を含む。ステップ３１４において、報告された近接指示情報に基づいて、ｅＮＢ３０２は、ピコセルの測定配置をＵＥ３０１に伝送する。ステップ３２１において、ＵＥ３０１は、ピコセルに測定を実行する。ステップ３２２において、ＵＥ３０１は、測定結果 (たとえば、ピコセルのＲＳＲＰおよび／またはＲＳＲＱ)をｅＮＢ３０２に報告する。最後に、ステップ３２３において、測定結果に基づいて、ｅＮＢ３０２は、ハンドオーバ命令をＵＥ３０１に伝送する。
【００２２】
第二具体例下で、ＵＥ３０１は、ピコセルが隣接する時だけ、ピコセルを測定する。ピコセルは、むらのある展開になると考えられるので、このような方法は良い節電効果がある。さらに、ＵＥ３０１は、ネットワークからの支援下で、たとえば、ｅＮＢ３０２から伝送される位置情報を用いて、ピコセルの近接を検出することができる。たとえば、位置情報は、ピコセルの被覆範囲に関連する無線信号パラメータ、および／または、緯度と経度に基づいたピコセルの地理的領域配置を含む。このような位置情報を十分に利用できるようにするため、ＵＥ３０１はGNSS能力を有する。
【００２３】
図４は、一新規態様による小セル発見の第三具体例を示す図である。ステップ４１１において、ＵＥ４０１とｅＮＢ４０２は、構築されたＲＲＣ接続で互いに通信する。ステップ４１２において、ｅＮＢ４０２は、測定配置をＵＥ４０１に送る。測定配置は、あるキャリア周波数上の小セルに配置される測定対象、および、小セルのＰＣＩと位置情報を含む。各測定対象は、特定のキャリア周波数の一組の測定パラメータ(たとえば、Time-to-Trigger (TTT)値、L3フィルタリングパラメータ、測定バンド幅等)を含む。測定配置は、RRC_Connected 状態で、ＲＲＣメッセージにより行われる。ステップ４１３において、ＰＣＩまたは別の情報、たとえば、位置情報とＲＦフィンガープリントに基づいて、ひとつまたは幾つかの小セルの近接領域に移動する時、ＵＥ４０１は、小セルの近接を検出する。ステップ４２１において、ＵＥ４０１は、ステップ４１２で受信される測定配置に基づいて、検出された小セルの測定を実行する。ステップ４２２において、ＵＥ４０１は、測定結果 (たとえば、セルのＲＳＲＰおよび／またはＲＳＲＱ)を、ｅＮＢ４０２に報告する。最後に、ステップ４１３において、測定結果に基づいて、ｅＮＢ４０２は、ハンドオーバ命令をＵＥ４０１に伝送する。
【００２４】
第三具体例下で、ＵＥ４０１は、小セル発見に誘導検索を実行する。小セルの測定配置と位置情報 (ネットワークからの指導)が前もって行われる。ＵＥ４０１が小セルの近接領域に進入する時、ＵＥ４０１は小セルの測定を開始する。第二具体例と同様に、小セルが近接するときだけ、ＵＥ４０１が小セルを測定するので、ＵＥ４０１はよい節電を達成する。ＵＥ４０１が GNSS能力を配備している作業仮説下で、ＵＥ４０１は、ｅＮＢ４０２により提供される位置情報を用いて、小セルの近接を検出することもできる。誘導検索アプローチの下、小セルは、時に、優先セルと称される。これは、小セルの測定と発見の目的が、トラフィックオフローディングのためであるからで、通常、効率スペクトルの改善に適している。
【００２５】
通常、サービングセルのＲＳＲＰレベルが、s-Measureにより指定されるスレショルド値より高い時、隣接セルの測定は、モビリティ管理目的のためにもはや必要ないので、ＵＥは、隣接セルの信号品質の測定を停止する。よって、節電のため、ＵＥの測定アクティビティを停止するパラメータ (たとえば、s-Measure)が時々用いられて、ＵＥの測定の周波数を低下させる。しかし、小セル発見にとって、目的がトラフィックオフローディングのためなので、s-Measureの確認状況は、もう、優先セルに適用されない。その結果、現在のサービングセルのＲＳＲＰが、s-Measure スレショルド値より高い場合でも、ＵＥは、優先セルの測定を試みる。
【００２６】
図５は、一新規態様による小セル発見の第四具体例を示す図である。ステップ５１１において、ＵＥ５０１とｅＮＢ５０２は、構築されたＲＲＣ接続で互いに通信する。ステップ５１２において、ｅＮＢ５０２は測定配置をＵＥ５０１に伝送する。測定配置は、あるキャリア周波数に配置される測定対象、および、ＰＣＩと小セルの任意の位置情報を含む。ステップ５１３において、ＰＣＩまたは別の情報、たとえば、位置情報とＲＦフィンガープリントに基づいて、ひとつまたは幾つかの小セルの近接領域に移動する時、ＵＥ５０１は小セルの近接を検出する。或いは、ＵＥ５０１は、自立的に保存された近接検出情報に基づいて、近接測定を適用される。ステップ５２１において、ＵＥ５０１は、検出された小セルに測定を実行する。ステップ５２２において、ＵＥ５０１は、測定結果 (たとえば、ピコセルのＲＳＲＰおよび／またはＲＳＲＱ)をｅＮＢ５０２に報告する。最後に、測定結果に基づいて、ｅＮＢ５０２は、ハンドオーバ命令をＵＥ５０１に伝送する。
【００２７】
第四具体例下で、ＵＥ５０１は、近接認識を用いて、検索/測定パフォーマンス、および、どのくらいの頻度で、小セルの検索を実行するかを変化させる。たとえば、マクロセルの正常な検索速度 (たとえば、ステップ５１２で配置される測定対象)と比較して、ＵＥ５０１が、ひとつまたは幾つかの優先の小セルに近いと判断する時、このようなセルの検索速度を増加する (たとえば、ステップ５２１で、測定周波数を増加することにより)。一方、マクロセルの正常な検索速度と比較して、ＵＥ５０１が、ひとつまたは幾つかの優先の小セルに近くないと判断する時、このようなセルの検索速度を低下させる(たとえば、測定周波数を低下させることにより)。近接認識に基づいて、検索速度を動的に調整することにより、ＵＥ５０１は、さらに効果的に小セル発見を実行することができる。
【００２８】
図６は、一新規態様による小セル発見の第五具体例を示す図である。ステップ６１１において、ＵＥ６０１は接続モードにあり、ｅＮＢ６０２は、ＵＥ６０１に、ＵＥ６０１が、いつ優先の隣接セルの近接領域にあるかを示すように要求する (たとえば、近接要求メッセージにより)。ステップ６１２において、ｅＮＢ６０２は、測定配置をＵＥ６０１に伝送する。測定配置は、あるキャリア周波数でセル (たとえば、マクロセル)に設定される測定対象、および、優先セルのＰＣＩと任意の位置情報を含む。ステップ６１３において、たとえば、位置情報とＲＦフィンガープリント等のＰＣＩまたは別の情報に基づいて、ひとつ以上の優先セルの近接領域に移動する時、ＵＥ６０１はピコセルの近接を検出する。或いは、ＵＥ６０１は、自立的に保存された近接検出情報に基づいて、近接測定を適用する。ステップ６１４において、ＵＥ６０１は、近接指示情報により、検出された優先セルの近接を報告する。近接指示情報の可能なパラメータは、優先の隣接セルに進入または離れる近接領域、セルＩＤ、および、隣接セルの周波数バンドを含む。報告された近接指示情報に基づいて、ステップ６１５において、ｅＮＢ６０２は、優先セルに適当な測定配置を設定する。ステップ６１６において、ｅＮＢ６０２は、優先セル測定の測定配置をＵＥ６０１に伝送する。ステップ６２１において、ＵＥ６０１は、優先セルに測定を実行する。ステップ６２２において、ＵＥ６０１は、測定結果 (たとえば、優先セルのＲＳＲＰおよび／またはＲＳＲＱ)をｅＮＢ６０２に報告する。最後に、ステップ６２３において、測定結果に基づいて、ｅＮＢ６０２は、ハンドオーバ命令をＵＥ６０１に伝送する。
【００２９】
適当な測定配置は、小セルの検索パフォーマンスに影響する配置アイテムを含み、ＵＥの小セル検索が十分に速いよう確保する。一具体例において、ｅＮＢは、一測定対象で、マクロセルと小セルに異なるパラメータ組を設定する。別の具体例において、ｅＮＢは、一測定対象で、小セルに一組のパラメータを設定する。それらの小セル特定パラメータ(たとえば、短いTTT)は、さらに、モビリティのロバスト性を向上させることができる。たとえば、ＵＥが、ひとつまたは幾つかの優先の小セルの近接領域にあるとき、さらに頻繁な小セル検索が用いられる。一方、ＵＥが、ひとつまたは幾つかの優先の小セルの近接領域にないと判断する時、これを明示的にネットワークに示す。或いは、ＵＥは、もう、近接情報を示さず、ネットワークは、このような指示の不足を非近接として解釈することができる。その結果、ネットワークは、ＵＥが、低頻度で小セルを検索する工程を含む適当な測定配置を有することを確保することができる。
【００３０】
ＵＥに、優先セルを測定させるため、ＵＥは、前もって、近接検出情報を有することが必要である。一具体例において、ＵＥは、自立的に、近接検出情報を知り、保存することができる。ＵＥは、セルについての情報を保存することを決定し、ＵＥがすでにこのセルを見つけた、または、ＵＥがこのセルによりされるとき、セルは、検索に適する。たとえば、優先セルは、ある情報をブロードキャストし、たとえば、明示的な指示は、 “これが、自立的検索の優先セル”または“これがピコセルタイプ”であることを意味する。別の例において、別のセル (たとえば、異周波数間マクロセル)は、既に、ある周波数バンド上のセルが、許可、推薦、または、要求される自立的検索の優先セルとみなされるものとする／かもしれないことを示している。マクロセルは、どのように、優先セルを確認するかの追加情報も、たとえば、ＰＣＩ幅情報を分割することにより提供することができる。
【００３１】
優先セルの識別後、ＵＥは、優先セルの近接検出情報を保存する。近接検出情報は、ＧＰＳ位置に基づいた、別のセルの被覆範囲に基づいた、または、セルラー“ＲＦフィンガープリント” - あるセルの被覆領域内の組み合わせ (異なる周波数にある)、ある範囲内のモビリティ測定、および／または、タイミング測定の検出に基づいた情報を含む。
【００３２】
別の具体例において、ＵＥは、ネットワーク支援に依存して、近接検出情報を得て、保存することができる。たとえば、サービングｅＮＢは明示的な情報を提供し、高パフォーマンス検索(たとえば、 頻繁な検索)が、ある地理的領域で応用される。地理的領域は、セルＩＤ、隣接セルの被覆範囲に関連する無線パラメータ(たとえば、信号強度)または緯度と経度方面で定義される。このような位置情報は、通常、ＲＲＣ測定配置により、ＵＥに提供される。
【００３３】
図７は、一新規態様による小セル発見の方法の一具体例のフローチャートである。ステップ７０１において、移動通信ネットワーク中、ユーザー装置 (ＵＥ) は、ＵＥが、小セルの近接領域にあるかどうか判断する。一例において、近接測定は、ネットワークから受信される位置情報に基づく。別の例において、近接測定は、ＵＥにより自立的に保存される近接検出情報に基づく。位置情報と保存された近接検出情報は、隣接セルの位置 (たとえば、緯度と経度)、被覆範囲情報 (たとえば、無線パラメータ、たとえば、信号強度)、および/または、セルラー“ＲＦフィンガープリント” 情報を含む。ステップ７０２において、ＵＥは近接指示情報を基地局に伝送し、近接指示情報は、小セルのセルＩＤとキャリア周波数を含む。ステップ７０３において、ＵＥは、基地局から小セルの測定配置を受信する。たとえば、測定配置は、小セル-特定測定パフォーマンス要求または測定パラメータを含む。ステップ７０４において、ＵＥは、小セルに測定を実行する。
【００３４】
図８は、一新規態様による小セルの誘導検索の方法のフローチャートである。ステップ８０１において、移動通信ネットワーク中、ユーザー装置 (ＵＥ)は、基地局から測定配置を受信する。測定配置は、セルＩＤと位置情報を含む優先セルに設定される測定対象を含む。ステップ８０２において、ＵＥは、位置情報に基づいて、近接検出を応用し、ＵＥが、優先セルの近接領域に進入するか検出する。ステップ８０３において、ＵＥが優先セルの近接中にある場合、ＵＥは、測定配置に基づいて、優先セルに測定を実行する。一例において、サービングセルのＲＳＲＰが、stop-measure スレショルドより良いときでも、ＵＥは、優先セルの測定実行を続行する。
【００３５】
図９は、一新規態様による小セルのＵＥ自立的検索と測定の方法の一具体例のフローチャートである。ステップ９０１において、移動通信ネットワーク中、ユーザー装置 (ＵＥ)は、基地局から測定配置を受信する。ステップ９０２において、ＵＥは近接測定を応用して、ＵＥが優先セルの近接領域に進入するか判断する。ステップ９０３において、ＵＥは、測定配置により設定される測定速度 (すなわち、検索速度)に基づいて、測定を実行する。ＵＥが優先セルの近接領域にある場合、ＵＥは、優先セルの測定速度を増加する。一方、ＵＥが優先セルの近接領域にない場合、ＵＥは、優先セルの測定速度を低下させる。
【００３６】
提案される小セル発見方法も、アイドルモード下のモビリティ管理中に応用される。たとえば、ＵＥがRRC_Connected 状態を離れる時、ＵＥは、ｅＮＢがメッセージをブロードキャストする、または、ｅＮＢがメッセージをユニキャストすることにより、小セル配置または測定パラメータを得ることができる。このような小セル情報により、ＵＥは、優先される小セルで、セル選択/再選択を実行することができる。一例において、小セルの近接中に移動する時、アイドルモードのＵＥは、高い測定周波数の小セルを検索する。
【００３７】
本発明は、説明のためにある特定の実施の形態に関連して述べられているが本発明はこれを制限するものではない。したがって、様々な変更、適合、および説明した実施形態の様々な特徴の組み合わせは、特許請求の範囲に記載の本発明の範囲から逸脱することなく実施することができる。
【図１】
2014523719.tif 000003
【図２】
2014523719.tif 000004
【図３】
2014523719.tif 000005
【図４】
2014523719.tif 000006
【図５】
2014523719.tif 000007
【図６】
2014523719.tif 000008
【図７】
2014523719.tif 000009
【図８】
2014523719.tif 000010
【図９】
2014523719.tif 000011
【国際調査報告】
2014523719.tif 000012
2014523719.tif 000013